(57)【要約】【課題】加入者側において加入者装置の映像信号出力レベルを調整可能なデータ伝送システムを得る。【解決手段】加入者装置４０と局装置１０，２０間を光ファイバで接続し、局装置１０，２０から出力される映像信号１０１とデータ信号１０２を合波して複数の加入者装置４０に配信するデータ伝送システム１において、加入者装置４０は、合波された信号１０３を映像信号１０４とデータ信号１０６に分波するＷＤＭフィルタ４１，４２と、分波されたデータ信号１０６の変換処理を行いＰＣ３４に出力すると共に、映像信号１０４の出力レベルを制御するためのＧＰＩＯ信号１０８を出力するＧＥ−ＰＯＮ機能部４６と、分波された映像信号１０４の出力レベルをＧＰＩＯ信号１０８に基づき調整する映像信号処理部４４を備える。【選択図】図１
2010119036.tif 000002
【特許請求の範囲】
【請求項１】
加入者装置と局装置間を光ファイバで接続し、前記局装置から出力される映像信号と映像信号以外の信号を合波して複数の前記加入者装置に配信し、前記加入者装置は前記合波された信号のうち映像信号を映像表示端末に、映像信号以外の信号を情報処理端末に出力するデータ伝送システムにおいて、
前記加入者装置は、前記合波された信号を映像信号と映像信号以外の信号に分波するＷＤＭフィルタと、前記ＷＤＭフィルタにより分波された映像信号以外の信号の変換処理を行い前記情報処理端末に出力すると共に、前記映像信号の出力レベルを制御するための制御信号を出力する情報信号処理部と、前記ＷＤＭフィルタにより分波された映像信号の出力レベルを前記情報信号処理部から入力される制御信号に基づき調整する映像信号処理部とを備えたことを特徴とするデータ伝送システム。
【請求項２】
映像信号処理部は、映像信号を複数の映像表示端末に出力し、
情報信号処理部は、前記映像表示端末の台数に応じて前記映像信号の出力レベルを上げる制御信号を出力することを特徴とする請求項１記載のデータ伝送システム。
【請求項３】
情報信号処理部は、情報処理端末から入力される入力情報に基づき制御信号を生成することを特徴とする請求項１または請求項２記載のデータ伝送システム。
【発明の詳細な説明】
【技術分野】
【０００１】
この発明は、局装置で多重化されたデータ信号と映像信号とを、光ファイバを通じて複数の加入者装置に配信するデータ伝送システムに関するものである。
【背景技術】
【０００２】
従来、ＰＯＮ（（Ｐａｓｓｉｖｅ  Ｏｐｔｉｃａｌ  Ｎｅｔｗｏｒｋ）システムを用いて局装置と加入者装置を接続するデータ伝送システムが用いられている。局装置は、発生した映像信号を送信用レーザダイオード（ＬＤ）に供給して光信号変換し、ＦＭ多重を行い出力用の映像信号を生成する。加入者装置に送出される際、映像信号以外の信号は波長多重分離部（ＷＤＭカプラ）において合波された後、スターカプラを用いて加入者ごとに分離し、各加入者宅へ配信される。加入者宅では、入力信号を波長多重分離部（ＷＤＭフィルタ）を用いて映像信号とデータ信号に分離し、映像信号は映像信号受信用フォトダイオード（ＰＤ）において電気信号に変換され、ＦＭ復調された後映像信号として出力される。データ信号は、データ信号受信用フォトダイオード（ＰＤ）において電気信号に変換され、データ信号として出力される（特許文献１および特許文献２参照）。
【０００３】
【特許文献１】国際公開第０１／０９９３２３号（図１）
【特許文献２】特開２００６−３３０４４号公報（図２）
【発明の開示】
【発明が解決しようとする課題】
【０００４】
従来のデータ伝送システムは以上のように構成されているので、加入者宅における波長多重分離部（ＷＤＭフィルタ）、映像信号受信部（Ｖ−ＯＮＵ）およびデータ信号受信部（ＧＥ−ＯＮＵ）はそれぞれ個別の装置として構成されており、各装置間の制御動作などは想定されていない。そのため、加入者宅において他の構成が映像信号受信部（Ｖ−ＯＮＵ）を制御することができないという課題があった。また映像信号受信部（Ｖ−ＯＮＵ）は、単に映像信号を受信するのみであり、映像信号の出力を調整することができないという課題があった。
【０００５】
この発明は上記のような課題を解決するためになされたもので、加入者側において加入者装置の映像信号出力レベルを調整可能なデータ伝送システムを得ることを目的とする。
【課題を解決するための手段】
【０００６】
この発明に係るデータ伝送システムは、合波された信号を映像信号と映像信号以外の信号に分波するＷＤＭフィルタと、ＷＤＭフィルタにより分波された映像信号以外の信号の変換処理を行い情報処理端末に出力すると共に、映像信号の出力レベルを制御するための制御信号を出力する情報信号処理部と、ＷＤＭフィルタにより分波された映像信号の出力レベルを情報信号処理部から入力される制御信号に基づき調整する映像信号処理部とを有する加入者装置を備えるものである。
【発明の効果】
【０００７】
この発明によれば、映像信号以外の信号の変換処理を行い情報処理端末に出力すると共に、映像信号の出力レベルを制御するための制御信号を出力する情報信号処理部と、映像信号の出力レベルを情報信号処理部から入力される制御信号に基づき調整する映像信号処理部とを有する加入者装置を備えるように構成したので、加入者装置内で映像信号の出力レベルを調整することができる。これにより、加入者装置に映像表示端末を複数接続する場合であっても映像信号出力を加入者側で調整することができ、無駄な消費電力を抑制することができる。また、複数台の映像表示端末の接続にブースターを用いる必要がなくなり、ユーザの手間やコスト負担を削減することができる。
【発明を実施するための最良の形態】
【０００８】
実施の形態１．
図１は、この発明の実施の形態１に係るデータ伝送システムの構成を示すブロック図である。
このデータ伝送システム１は、映像信号を送信する局装置１０、映像信号以外の信号であるデータ信号を送受信するインターネット３０と接続された局装置２０、局装置１０および局装置２０から出力される映像信号とデータ信号を合波するＷＤＭ（Ｗａｖｅｌｅｎｇｔｈ  Ｄｉｖｉｓｉｏｎ  Ｍｕｌｔｉｐｌｅｘｉｎｇ）カプラ３１、合波された信号を加入者ごとの加入者装置に分配するスターカプラ（ＳＣ）３２、スターカプラ３２で分配された信号を受信する加入者装置４０、加入者装置４０から入力される映像信号を表示する映像表示端末である例えばＴＶ３３、加入者装置４０から入力されるデータ信号を表示する情報処理端末である例えばＰＣ３４で構成されている。
【０００９】
局装置１０は、映像信号発生部１１と映像信号送信レーザダイオード（以下、ＬＤと称する）１２で構成されている。映像信号発生部１１において発生した映像信号は、映像信号送信ＬＤ１２において光信号に変換され、映像信号１０１としてＷＤＭカプラ３１に出力される。
【００１０】
局装置２０は、ＯＬＴ（Ｏｐｔｉｃａｌ  Ｌｉｎｅ  Ｔｅｒｍｉｎａｌ）機能部２１、データ信号送信ＬＤ２２およびデータ信号受信フォトダイオード（以下、ＰＤと称する）２３で構成されている。インターネット３０との接続を行うＯＬＴ機能部２１を介して入力されたデータ信号は、データ信号送信ＬＤ２２において光信号に変換され、データ信号１０２としてＷＤＭカプラ３１に出力される。一方、加入者側から入力されるデータ信号はデータ信号受信ＰＤ２３において電気信号に変換され、ＯＬＴ機能部２１に出力される。
【００１１】
局装置１０および局装置２０から出力された映像信号１０１およびデータ信号１０２はＷＤＭカプラ３１において合波され、合波された信号１０３はスターカプラ３２において加入者ごとに分配され、加入者装置４０に入力される。
【００１２】
図２は、この発明の実施の形態１に係る加入者装置の構成を示すブロック図である。以下、図１および図２を参照しながら、加入者装置４０の詳細について説明する。
加入者装置４０は、ＷＤＭフィルタ４１，４２、映像信号受信ＰＤ４３、映像信号処理部４４、データ信号受信ＰＤ４５、ＧＥ−ＰＯＮ（Ｇｉｇａｂｉｔ Ｅｔｈｅｒｎｅｔ（登録商標）−Ｐａｓｓｉｖｅ Ｏｐｔｉｃａｌ Ｎｅｔｗｏｒｋ）機能部（情報信号処理部）４６およびデータ信号送信ＬＤ４７で構成されている。ＷＤＭフィルタ４１は、合波された信号１０３から映像信号１０４を分波し、映像信号受信ＰＤ４３に出力する。映像信号受信ＰＤ４３は、映像信号１０４を光信号から電気信号に変換して映像電気信号１０５として映像信号処理部４４に出力する。
【００１３】
映像信号処理部４４は、図２に示すように郡遅延補償回路部４８、ＦＭ復調部４９および利得調整部５０で構成されている。映像信号処理部４４に入力された映像電気信号１０５は、郡遅延補償回路部４８において郡遅延補正された後、ＦＭ復調部４９において復調される。復調信号１１０は利得調整部５０において適切な出力レベルに調整された後、ＴＶ３３に出力される。なお、詳細は後述するが、利得調整部５０は、ＧＥ−ＰＯＮ機能部４６から入力されるＧＰＩＯ信号（制御信号）１０８を利用し、あらかじめ設定したいくつかの出力レベルに自由に設定可能である。
【００１４】
ＷＤＭフィルタ４２は合波された信号１０３からデータ信号１０６を分波し、データ信号受信ＰＤ４５がデータ信号１０６を光信号から電気信号に変換してデータ電気信号１０７として、ＧＥ−ＰＯＮ機能部４６に出力する。ＧＥ−ＰＯＮ機能部４６は、受信したデータ電気信号１０７をＵＮＩ（Ｕｓｅｒ−Ｎｅｔｗｏｒｋ Ｉｎｔｅｒｆａｃｅ）信号に変換し、ＰＣ３４に出力する。一方、ＧＥ−ＰＯＮ機能部４６から局装置２０に向けて送出される上りデータ信号１０９は、データ信号送信ＬＤ４７を介して送信される。
【００１５】
ＧＥ−ＰＯＮ機能部４６と映像信号処理部４４は、ＧＰＩＯ信号１０８を用いて相互に通信可能である。ＧＥ−ＰＯＮ機能部４６は、映像信号処理部４４の情報を吸い上げ、局装置１０および局装置２０に送信することが可能である。
【００１６】
次に、利得調整部５０の詳細について説明する。図３は、この発明の実施の形態１に係る利得調整部の構成を示すブロック図である。
利得調整部５０は、調整したい出力パワーの数（図３の例においては、３つ）に相当する増幅回路５０ａ，５０ｂ，５０ｃを備えている。また、この増幅回路５０ａ，５０ｂ，５０ｃには出力パワーの数に相当する３つのＧＰＩＯ信号１０８ａ，１０８ｂ，１０８ｃがＧＥ−ＰＯＮ機能部４６から入力される。
【００１７】
ＧＰＩＯ信号１０８ａ，１０８ｂ，１０８ｃはそれぞれＨｉｇｈ／Ｌｏｗが設定されており、このＧＰＩＯ信号１０８が「Ｈｉｇｈ」であった場合には該当する増幅回路５０ａ，５０ｂ，５０ｃの電源を「ＯＮ」に設定し、ＧＰＩＯ信号１０８が「Ｌｏｗ」であった場合には該当する増幅回路５０ａ，５０ｂ，５０ｃの電源を「ＯＦＦ」に設定し、増幅量を調整する。これにより、映像出力先として複数台のＴＶ３３を接続する場合であっても、外部ブースターなどを用いることなく対応することができる。
【００１８】
ユーザは、ＰＣ３４経由で加入者装置４０に接続するＴＶ３３の台数をインプットする。ＴＶ３３の台数が入力された加入者装置４０のＧＥ−ＰＯＮ機能部４６は、その接続台数に基づき「Ｈｉｇｈ」に設定するＧＰＩＯ信号１０８を制御Ｓ／Ｗ（図示せず）で制御する。
【００１９】
以上のように、この実施の形態１によれば、加入者装置４０が、映像信号受信機能を有する映像信号処理部４４、映像以外の信号受信機能を有するＧＥ−ＰＯＮ機能部４６および合波された信号から映像信号あるいはデータ信号を分波するＷＤＭフィルタ４１，４２を備え、ユーザがＰＣ３４を介して入力した情報に基づきＧＥ−ＰＯＮ機能部４６が映像信号処理部４４を調整するように構成したので、加入者装置において映像出力レベルを加入者宅の使用状況に応じて調整することができる。これにより、映像表示端末（ＴＶ）を複数台接続する場合であっても、映像出力レベルを加入者装置において調整することができ、無駄な消費電力を削減することができる。
【００２０】
また、この実施の形態１によれば、映像信号処理部４４が利得調整部５０を備えるように構成したので、外部ブースターを設けることなく複数台の映像出力装置を接続することができる。これにより、加入者側で外部ブースターを用意する必要がなくなり、加入者側の手間やコスト負担を削減することができる。
【００２１】
実施の形態２．
上述した実施の形態１では、調整する利得の数に応じたＧＰＩＯ信号を入力し、調整する利得の数に応じた増幅回路を備える例を示したが、この実施の形態２では、２つのＧＰＩＯ信号１０８を用いてＨｉｇｈ／Ｌｏｗの組み合わせにより映像出力レベルの調整を行う構成を示す。図４は、この発明の実施の形態２に係る加入者装置の構成を示す図である。実施の形態１の図２および図３で示した利得調整部５０に変えて可変増幅回路部５１を備えている。
【００２２】
図５は、ＧＥ−ＰＯＮ機能部が有するＧＰＩＯ信号制御テーブルの一例を示す図である。ＧＰＩＯ信号制御テーブルは、映像出力先として接続するＴＶ３３の台数と第１ＧＰＩＯ信号１０８ｄおよび第２ＧＰＩＯ信号１０８ｅのＨｉｇｈ／Ｌｏｗの組み合わせを示している。図５に示す例では、映像信号を入力するＴＶ３３が３台接続される場合には、「Ｈｉｇｈ／Ｈｉｇｈ」の組み合わせの第１ＧＰＩＯ信号１０８ｄ／第２ＧＰＩＯ信号１０８ｅを出力することを示している。同様に、ＴＶ３３が２台接続の場合は「Ｈｉｇｈ／Ｌｏｗ」、ＴＶ３３が１台接続の場合は「Ｌｏｗ／Ｈｉｇｈ」、ＴＶ３３に出力しない場合は「Ｌｏｗ／Ｌｏｗ」の組み合わせの第１ＧＰＩＯ信号１０８ｄ／第２ＧＰＩＯ信号１０８ｅを出力することを示している。
【００２３】
ＧＥ−ＰＯＮ機能部４６は、図５のＧＰＩＯ信号制御テーブルを参照し、映像信号を入力するＴＶ３３の台数をＨｉｇｈ／Ｌｏｗを組み合わせた第１ＧＰＩＯ信号１０８ｄおよび第２ＧＰＩＯ信号１０８ｅに変換して可変増幅回路部５１に出力する。
【００２４】
可変増幅回路部５１は、アンプＩＣを内蔵（図示せず）し、ＧＥ−ＰＯＮ機能部４６から入力されるＨｉｇｈ／Ｌｏｗを組み合わせた第１ＧＰＩＯ信号１０８ｄおよび第２ＧＰＩＯ信号１０８ｅに基づき動作させるアンプＩＣの数を決定する。ＦＭ復調部４９から入力され復調信号１１０は、このアンプＩＣにより適切な出力レベルに調整され、ＴＶ３３に出力される。
【００２５】
以上のように、この実施の形態２によれば、２つのＧＰＩＯ信号１０８ｄ，１０８ｅを用いて、Ｈｉｇｈ／Ｌｏｗの組み合わせにより入力信号の出力レベルを調整するように構成したので、調整する利得数のＧＰＩＯ信号の発生や増幅回路の配設が必要なくなり、コストを抑制することができる。
【図面の簡単な説明】
【００２６】
【図１】この発明の実施の形態１に係るデータ伝送システムの構成を示すブロック図である。
【図２】この発明の実施の形態１に係る加入者装置の構成を示すブロック図である。
【図３】この発明の実施の形態１に係る利得調整部の構成を示すブロック図である。
【図４】この発明の実施の形態２に係る加入者装置の構成を示すブロック図である。
【図５】この発明の実施の形態２に係るＧＰＩＯ信号制御テーブルの一例を示す図である。
【符号の説明】
【００２７】
１  データ伝送システム、１０，２０  局装置、１１  映像信号発生部、１２  映像信号送信ＬＤ、２１  ＯＬＴ機能部、２２  データ信号送信ＬＤ、２３  データ信号受信ＰＤ、３０  インターネット、３１  ＷＤＭカプラ、３２  スターカプラ、３３  ＴＶ、３４  ＰＣ、４０  加入者装置、４１，４２  ＷＤＭフィルタ、４３  映像信号受信ＰＤ、４４  映像信号処理部、４５  データ信号受信ＰＤ、４６  ＧＥ−ＰＯＮ機能部、４７  データ信号送信ＬＤ、４８  群遅延補償回路部、４９  ＦＭ復調部、５０  利得調整部、５０ａ，５０ｂ，５０ｃ  増幅回路、５１  可変増幅回路部、１０１，１０４  映像信号、１０２，１０６  データ信号、１０３  合波された信号、１０５  映像電気信号、１０７  データ電気信号、１０８  ＧＰＩＯ信号、１０９  上りデータ信号、１１０  復調信号。
【図１】
2010119036.tif 000003
【図２】
2010119036.tif 000004
【図３】
2010119036.tif 000005
【図４】
2010119036.tif 000006
【図５】
2010119036.tif 000007